(57)【要約】【課題】月日めくりカレンダーにおいて、一ヶ月の各日と各曜日の一覧表示が分かるとともに、ユーザーがその日が何日であるかが一見して把握することである。【解決手段】一ヶ月の各日と各曜日とが一覧表示された複数枚の月表示部１２と、日を表す数字と該数字に応じたメッセージが表示された複数枚の日表示部１４と、台紙の上部において所定の間隔で設けられた複数のリング部１８と、を備える月日めくりカレンダー１０であって、複数枚の月表示部１２と複数枚の日表示部１４とは、それぞれ複数のリング部１８が嵌挿する複数の貫通孔を有し、台紙上に分離された状態で設けられている。【選択図】図１
2017128077.tif 000002
【特許請求の範囲】
【請求項１】
一ヶ月の各日と各曜日とが一覧表示された複数枚の月表示部と、
日を表す数字と該数字に応じたメッセージが表示された複数枚の日表示部と、
台紙の上部において所定の間隔で設けられた複数のリング部と、
を備える月日めくりカレンダーであって、
前記複数枚の月表示部と前記複数枚の日表示部とは、それぞれ前記複数のリング部が嵌挿する複数の貫通孔を有し、前記台紙上に分離された状態で設けられていることを特徴とする月日めくりカレンダー。
【請求項２】
請求項１に記載の月日めくりカレンダーにおいて、
前記複数枚の月表示部と前記複数枚の日表示部との間は、予め定められた所定の間隔があけられていることを特徴とする月日めくりカレンダー。
【発明の詳細な説明】
【技術分野】
【０００１】
本発明は、月日めくりカレンダー（登録商標）に関する。
【背景技術】
【０００２】
従来、職場の机などに載置される卓上カレンダーを含めた様々なカレンダーが開発されている。本発明に関連する技術として、例えば、特許文献１には、机やテーブル上に置いて使う卓上カレンダーにおいて、薄い板材で構成する支持板の両側端部には一部を折り曲げて正面側へ延ばした爪を有し、この爪にカレンダー用紙を湾曲して側端を係止して取付けたことを特徴とする卓上カレンダーが開示されている。
【先行技術文献】
【特許文献】
【０００３】
【特許文献１】特開２０１５−１８９０８７号公報
【発明の概要】
【発明が解決しようとする課題】
【０００４】
一般的な月めくりカレンダーなどは、一ヶ月の各日と各曜日が一覧表示されているが、カレンダーを見ている当日が何日になるのかについては、ユーザーは一見して把握することが難しい。
【０００５】
本発明の目的は、一ヶ月の各日と各曜日の一覧表示が分かるとともに、カレンダーを見ている当日が何日であるかが一見して把握することが可能なカレンダーを提供することである。
【課題を解決するための手段】
【０００６】
本発明に係る月日めくりカレンダーは、一ヶ月の各日と各曜日とが一覧表示された複数枚の月表示部と、日を表す数字と該数字に応じたメッセージが表示された複数枚の日表示部と、台紙の上部において所定の間隔で設けられた複数のリング部と、を備える月日めくりカレンダーであって、前記複数枚の月表示部と前記複数枚の日表示部とは、それぞれ前記複数のリング部が嵌挿する複数の貫通孔を有し、前記台紙上に分離された状態で設けられていることを特徴とする。
【０００７】
また、本発明に係る月日めくりカレンダーにおいて、前記複数枚の月表示部と前記複数枚の日表示部との間は、予め定められた所定の間隔があけられていることが好ましい。
【発明の効果】
【０００８】
本発明によれば、一ヶ月の各日と各曜日とが一覧表示された複数枚の月表示部とともに、日を表す数字が表示された複数枚の日表示部が設けられている。これにより、複数枚の日表示部を日めくりすることによって、カレンダーを見ている当日が何日であるかについて一見して把握することができる。
【０００９】
また、本発明によれば、複数枚の日表示部には、日を表す数字に応じたメッセージが表示されているため、複数枚の日表示部を日めくりした際に、そのメッセージを確認し、メッセージに込められた思い等をあらためて認識することができる。
【図面の簡単な説明】
【００１０】
【図１】本発明に係る実施形態の月日めくりカレンダーを示す図である。
【図２】本発明に係る実施形態の月日めくりカレンダーの第１変形例を示す図である。
【図３】本発明に係る実施形態の月日めくりカレンダーの第２変形例を示す図である。
【図４】本発明に係る実施形態の月日めくりカレンダーの第３変形例を示す図である。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、月日めくりカレンダー１０を示す図である。月日めくりカレンダー１０は、複数枚の月表示部１２と、複数枚の日表示部１４と、台紙部１６と、複数のリング部１８とを備える。
【００１３】
複数枚の月表示部１２は、一ヶ月の各日と各曜日とが一覧表示された月めくりカレンダー部である。複数枚の月表示部１２は、１月〜１２月の各月ごとに設けられている。２０１６年２月の月表示部１２には、２月の各日と各曜日とが格子状のマス目に並べて配置されている。また、各日と各曜日だけでなく、その日に応じた大安・友引・先勝などの六曜を表示することも好適である。また、上部には小さく、前月の１月の一覧表示と、次月の３月の一覧表示が示されている。複数枚の月表示部１２は、複数のリング部１８が嵌挿するための複数の貫通孔１２ａが形成されている。
【００１４】
複数枚の日表示部１４は、日を表す数字と該数字に応じたメッセージが表示された日めくりカレンダー部である。複数枚の日表示部１４は、１日〜３１日の各日ごとに設けられている。例えば、１日には、「安全は決まりの中に存在する」という言葉が記載されており、３日には、「礼儀に口くるさい職場は事故が少ない」という言葉が記載されている。すなわち、複数枚の日表示部１４には、今日の心の安全として、各日ごとに異なる安全に関するメッセージが記載されている。複数枚の日表示部１４は、複数のリング部１８が嵌挿するための複数の貫通孔１４ａが形成されている。
【００１５】
台紙部１６は、月日めくりカレンダーを卓上に設置するための中空の略三角柱形状を有している。台紙部１６の底面１６ｃに跨って立設する表側台紙１６ａ及び裏側台紙１６ｂの上部において、複数のリング部１８が嵌挿するための複数の貫通孔１６ｄが所定の間隔（例えば、５ｍｍ〜１５ｍｍ）をあけて形成されている。
【００１６】
複数のリング部１８は、複数の貫通孔１６ｄにそれぞれ対応して嵌挿し、リング形状を有する部材である。複数のリング部１８は、適度な強度を有する材質、例えば、針金等を加工して形成することが好ましい。
【００１７】
複数枚の月表示部１２と複数枚の日表示部１４とは、台紙部１６の表側台紙１６ａ上に分離された状態で設けられている。複数枚の月表示部１２と複数枚の日表示部１４との間は、予め定められた所定の間隔（例えば、０．５ｃｍ〜１．５ｃｍ）があけられている。
【００１８】
続いて、上記構成の月日めくりカレンダー１０の作用について説明する。月日めくりカレンダー１０では、一ヶ月の各日と各曜日とが一覧表示された複数枚の月表示部１２とともに、日を表す数字が表示された複数枚の日表示部１４が設けられている。これにより、複数枚の日表示部１４をユーザーが日めくりすることによって、カレンダーを見ている当日が何日であるかについて一見して把握することができるというメリットがある。
【００１９】
また、複数枚の日表示部１４には、日を表す数字に応じたメッセージが表示されているため、複数枚の日表示部１４を日めくりした際に、例えば、そのメッセージには、「礼儀に口くるさい職場は事故が少ない」と記載があったときに、ユーザーが「我が社は、安全第一を大切にするから、私も礼儀に口うるさいくらいになろう！」といったように、メッセージに込められた思い等を心にとどめて行動に移しやすくなるという効果がある。
【００２０】
さらに、複数枚の日表示部１４は、上記のようにユーザーが毎日めくることを前提としたものであるため、複数枚の月表示部１２と複数枚の日表示部１４との分離された領域には所定の空間領域（１リング分）が設けられている。これにより、複数枚の月表示部１２と複数枚の日表示部１４とが重なりあうことなく、さらに複数枚の日表示部１４の両端部を親指と人差し指で挟み込んで容易にめくることができるという利点がある。
【００２１】
次に、月日めくりカレンダー１０の第１変形例である月日めくりカレンダー１０ａについて説明する。月日めくりカレンダー１０ａと月日めくりカレンダー１０との相違は、複数枚の月表示部１２と複数枚の日表示部１４とが台紙部１６が設けられておらず、代わりに文鎮型のＴ字部材が設けられている点である。このように月日めくりカレンダー１０ａによれば、卓上に設置するだけでなく、Ｔ字部材のフックを用いて壁掛けにすることもできる。
【００２２】
次いで、月日めくりカレンダー１０の第２変形例である月日めくりカレンダー１０ｂについて説明する。月日めくりカレンダー１０ｂと月日めくりカレンダー１０との相違は、複数枚の月表示部１２をコンパクトにして２つ設けた点である。このように、２つの複数枚の月表示部１２を設けることで、一ヶ月単位でなく、来月の予定など二ヶ月単位でのイベントなどの予定を一見して把握することができる。
【００２３】
月日めくりカレンダー１０の第３変形例である月日めくりカレンダー１０ｃについて説明する。月日めくりカレンダー１０ｃと月日めくりカレンダー１０との相違は、複数枚の月表示部１２をコンパクトにして、複数枚の日表示部１４の隣に付箋用紙などにより構成されるメモ帳部が設けられている点である。このように、メモ帳部を設けることで、そのユーザーが忘備録として利用することができる利点がある。
【符号の説明】
【００２４】
１０，１０ａ，１０ｂ，１０ｃ  月日めくりカレンダー、１２  月表示部、１２ａ  貫通孔、１４  日表示部、１４ａ  貫通孔、１６  台紙部、１６ａ  表側台紙、１６ｂ  裏側台紙、１６ｃ  底面、１６ｄ  貫通孔、１８  リング部。
【図１】
2017128077.tif 000003
【図２】
2017128077.tif 000004
【図３】
2017128077.tif 000005
【図４】
2017128077.tif 000006